(57)【特許請求の範囲】
【請求項１】
複数のアンテナ素子から成るアレイ・アンテナを用いて、複数の移動局に対するアンテナ指向性を形成し、これら複数の移動局と通信を行う、多元接続可能なＣＤＭＡ移動通信基地局装置であって、前記複数のアンテナ素子と対応接続する複数の個別送受信部と、これら複数の個別送受信部に無線周波帯の参照信号及びベースバンド帯の参照信号を供給する参照信号供給手段と、を有して成り、
前記複数の個別送受信部それぞれが
（イ）前記アレイ・アンテナの、対応するアンテナ素子からの無線周波帯の受信信号を増幅してベースバンド帯の受信情報信号に変換し出力する受信機
（ロ）前記参照信号供給手段から供給された無線周波帯の参照信号を、予め定められたレベルに設定、制御して前記アンテナ素子からの無線周波帯受信信号伝送路へ導入する参照信号導入部
（ハ）前記受信機の出力信号中に含まれるベースバンド帯の参照信号と、前記参照信号供給手段から供給されたベースバンド帯の参照信号と、の間の振幅及び位相の差を検出して前記受信機の出力信号に対する振幅及び位相を制御し出力する受信側振幅・位相制御部
（ニ）前記受信側振幅・位相制御部の出力信号中に含まれる参照信号成分を、前記参照信号供給手段から供給されたベースバンド帯の参照信号により除去する参照信号除去器
を含んで構成され、
前記参照信号供給手段が、
（ホ）クロック信号及び初期化信号に基づいて、ベースバンド帯の参照信号を発生する、１つの参照信号発生部
（ヘ）前記１つの参照信号発生部からのベースバンド帯の参照信号を、前記アンテナ素子からの無線周波帯の受信信号と同一の周波帯の参照信号に変換して、前記複数の個別送受信部へ分配、供給する、参照信号分配部
を含んで構成され
ることを特徴とするＣＤＭＡ移動通信基地局装置。
【請求項２】
前記参照信号供給手段の、参照信号分配部から複数の個別送受信部それぞれへの無線周波帯の参照信号供給用配線が、等長かつ同一の環境条件となるように配置された構造である、請求項１記載のＣＤＭＡ移動通信基地局装置。
【請求項３】
前記参照信号供給手段の、参照信号分配部から複数の個別送受信部それぞれへの無線周波帯の参照信号供給用配線が、異なる長さ、異なる環境条件で配置される構造である場合に、また、等長かつ同一の環境条件であっても振幅及び位相のずれが残存する場合に、この差異に伴う参照信号の振幅、位相のずれを補正する、オフセット量設定補正部が、前記受信側振幅・位相制御手段に設けられた構成である、請求項１記載のＣＤＭＡ移動通信基地局装置。
【請求項４】
請求項１乃至請求項３に記載のＣＤＭＡ移動通信基地局における、参照信号供給手段が、複数の個別送受信部に対し供給する、ベースバンド帯の参照信号に代えて、その１つの参照信号発生部に供給されるクロック信号及び初期化信号をこれら複数の個別送受信部に供給するようにし、これら複数の個別の送受信部に、前記クロック信号及び初期化信号に基づいてベースバンド帯の参照信号を発生する、個別の参照信号発生器を設けて、この個別参照信号発生器から、受信側振幅・位相制御手段及び参照信号除去器へのベースバンド帯の参照信号を供給するようにしたＣＤＭＡ移動通信基地局装置。
【発明の詳細な説明】
【０００１】
【発明の属する技術分野】
本発明はＣＤＭＡ移動通信基地局装置に関し、特にアレイ・アンテナの複数のアンテナ素子それぞれと対応接続する受信系回路及び送信系回路の、振幅特性及び位相特性を均一化して良好なアンテナ指向性を確保し、通信干渉低減効果、送信電力低減効果を高めることができるＣＤＭＡ移動通信基地局装置に属する。
【０００２】
【従来の技術】
ＣＤＭＡセルラー方式等の移動体通信において、その基地局に、アダプティブアレイアンテナを用いた場合、アダプティブアレイアンテナはアレイ状に複数配置された各アンテナ素子系回路の重み付け係数（ウェイト）を適応制御することにより、上り回線においては希望波の到来方向に指向性を有し、干渉波の到来方向にビームヌルを有する指向性パターンを生成し、基地局は所望希望波に対して、他ユーザからの干渉を抑圧し、良好な信号対干渉比（ＳＩＲ）の状況で受信できる。また、下り回線においては上り回線において求められたウェイトを再利用することにより、もしくは希望波及び干渉波の到来方向を推定することにより、希望ユーザ方向にビームを形成し、干渉ユーザ方向にヌルビームを形成することにより、各ユーザにとって良好な信号対干渉比を維持できるメリットを持っている。
【０００３】
このような従来のＣＤＭＡ移動通信基地局装置の一例として、文献、信学技報ＲＣＳ２０００−３１（２０００−０６）に記載された内容に基づき説明する。
図８は従来のＣＤＭＡ移動通信基地局装置の全体構成を示すブロック図、図９はその各アンテナ素子それぞれと接続する個別送受信部の構成を示すブロック図、図１０は図９に示された個別送受信部の、受信系回路部分を抽出したブロック図である。
図８に示された全体構成では、アレイ・アンテナ１０が複数のアンテナ素子１１を配置して構成され、これら複数のアンテナ素子１１と対応接続する、複数の個別送受信部２０ｘが設けられて、これら個別送受信部２０ｘそれぞれの、送信入力信号及び受信出力信号に対し、指向性制御素子３１によりウェイト付けされ、アンテナ送信指向性及びアンテナ受信指向性を得る構成となっている。
【０００４】
アンテナ指向性制御部３０においては、ＭＭＳＥ(Minimum Mean Square Error）法に基づく重み付け制御回路に接続され、各アンテナに対して入出力する送信信号もしくは受信信号をビームフォーミング制御している。ここで、重み付け制御はベースバンド信号処理にて行われるため、ベースバンド処理部とアンテナ間にある無線部のために、送信信号にて各アンテナ同相、同振幅で送出しようとしても、各アンテナに付随する送信部において位相、及び振幅にばらつきがあった場合、各アンテナからは所望の同相、同振幅の信号が送信されない。また受信時においても同相、同振幅で各アンテナで受信されても、各アンテナに付随する受信部間で位相及び振幅にばらつきがあればベースバンドにおける重み付け制御は正確に行うことができない。そこで、各個別送受信部２０ｘにおいて各アンテナ系に付随する送信信号及び受信信号の位相及び振幅が相互に等しくなるよう調整される。
【０００５】
図９に示されたブロック図において、参照信号導入部２５ｘ、誤差検出・保持器２９ｒ、及び受信側振幅・位相制御器２７が、送受信共用器２３、及び可変利得型の受信機２６を経由する受信信号に対する振幅、位相の調整（キャリブレーション）回路であり、送信参照信号導出部２４、参照信号導入部２５ｘ、誤差検出・保持器２９ｔ、及び送信側振幅・位相制御器２１と、キャリブレーション済みの受信系の回路とが、送信機２２及び送受信共用器２３を経由する送信信号に対する振幅、位相のキャリブレーション回路である。これらの、受信信号及び送信信号に対するキャリブレーションは、その誤差検出及び振幅、位相の制御が、ベースバンド帯域の参照信号ｒｅｆ（ＢＢ）により行われるため、送受信共用器２３及び受信機２６への参照信号の導入は、アンテナ素子１１からの受信信号の周波数帯域、すなわち、無線周波帯に変換する必要がある。
【０００６】
この従来のＣＤＭＡ移動通信基地局装置では、図８〜図１０に示すように、局部発振器４０からの受信無線周波帯ｆｒの信号を各個別送受信部２０ｘに供給すれば、これら各個別送受信部２０ｘにおいて独立してその受信系のキャリブレーションができる、という長所がある。この場合、ベースバンドの参照信号ｒｅｆ（ＢＢ）を受信無線周波帯ｆｒに変換して受信系の回路に導入する、参照信号導入部２５ｘは、周波数変換器２５４と、送受信の切換え及び送信系の参照信号導入用のスイッチＳ２５１及び加算器２５１と、導入レベル制御用の可変減衰器２５２と、方向性結合器２５３と、を含んで構成され、無線周波帯の参照信号の導入レベルはアンテナ素子１１からの受信信号に対し−２０ｄＢ程度で良く、また、局部発振器４０からの受信無線周波帯ｆｒの信号のレベルは、周波数変換器２５４の程度によっては比較的高いレベルが必要となるため、可変減衰器２５２の減衰量も大きくなる。
【０００７】
【発明が解決しようとする課題】
上述した従来のＣＤＭＡ移動通信基地局装置は、そのアレイ・アンテナ１０の複数のアンテナ素子１１それぞれと接続する個別送受信部２０ｘにおいて、受信信号及び送信信号に対する振幅、位相特性が、これら複数の個別送受信部２０ｘ間で等しくなるように調整（キャリブレーション）を行っている。このキャリブレーション動作は、誤差検出及び振幅、位相制御がベースバンド帯域の参照信号ｒｅｆ（ＢＢ）により行われ、これに対し参照信号の導入は受信無線周波帯ｆｒとする必要があるため、参照信号導入部２５ｘは、ベースバンドの参照信号ｒｅｆ（ＢＢ）を受信無線周波帯ｆｒに変換する周波数変換器２５４と、送受信切換え用のスイッチＳ２５１及び加算器２５１と、導入レベル制御用の可変減衰器２５２と、方向性結合器２５３と、を含んで構成され、この参照信号導入部２５ｘにおいて、導入される参照信号のレベルは、アンテナ素子１１からの受信信号に対し−２０ｄＢ程度で良いが、局部発振器４０からの、周波数変換用の受信無線周波帯ｆｒの信号レベルは、周波数変換器２５４の種類によっては比較的高いレベルが必要となるため、この高いレベルの受信無線周波帯ｆｒの信号を引き回すと、各部動作に悪影響を及ぼす危険性があり、また、可変減衰器２５２の減衰量も大きくなるため、この減衰量の誤差による参照信号の導入レベルの誤差が大きくなり、キャリブレーションの精度が低下する、という問題点がある。
【０００８】
本発明の目的は、上記従来技術の問題点に鑑み、各個別送受信部に対し、参照信号周波数変換用の高いレベルの受信無線周波帯の信号を引き回さずに済んで、その各部動作に対する悪影響を無くし、かつ、可変減衰器等の減衰量を小さくして、参照信号導入レベルの誤差を小さくし、キャリブレーション精度を上げることができるＣＤＭＡ移動通信基地局装置を提供することにある。
【０００９】
【課題を解決するための手段】
本発明のＣＤＭＡ移動通信基地局装置は、複数のアンテナ素子から成るアレイ・アンテナを用いて、複数の移動局に対するアンテナ指向性を形成し、これら複数の移動局と通信を行う、多元接続可能なＣＤＭＡ移動通信基地局装置であって、前記複数のアンテナ素子と対応接続する複数の個別送受信部と、これら複数の個別送受信部に無線周波帯の参照信号及びベースバンド帯の参照信号を供給する参照信号供給手段と、を有して成り、
前記複数の個別送受信部それぞれが
（イ）前記アレイ・アンテナの、対応するアンテナ素子からの無線周波帯の受信信号を増幅してベースバンド帯の受信情報信号に変換し出力する受信機
（ロ）前記参照信号供給手段から供給された無線周波帯の参照信号を、予め定められたレベルに設定、制御して前記アンテナ素子からの無線周波帯受信信号伝送路へ導入する参照信号導入部
（ハ）前記受信機の出力信号中に含まれるベースバンド帯の参照信号と、前記参照信号供給手段から供給されたベースバンド帯の参照信号と、の間の振幅及び位相の差を検出して前記受信機の出力信号に対する振幅及び位相を制御し出力する受信側振幅・位相制御部
（ニ）前記受信側振幅・位相制御部の出力信号中に含まれる参照信号成分を、前記参照信号供給手段から供給されたベースバンド帯の参照信号により除去する参照信号除去器を
含んで構成され、
前記参照信号供給手段が、
（ホ）クロック信号及び初期化信号に基づいて、ベースバンド帯の参照信号を発生する、１つの参照信号発生部
（ヘ）前記１つの参照信号発生部からのベースバンド帯の参照信号を、前記アンテナ素子からの無線周波帯の受信信号と同一の周波帯の参照信号に変換して、前記複数の個別送受信部へ分配、供給する、参照信号分配部
を含んで構成されることを特徴とする。
【００１０】
また、前記参照信号供給手段の、参照信号分配部から複数の個別送受信部それぞれへの無線周波帯の参照信号供給用配線が、等長かつ同一の環境条件となるように配置された構造である、構成を有している。
【００１１】
また、前記参照信号供給手段の、参照信号分配部から複数の個別送受信部それぞれへの無線周波帯の参照信号供給用配線が、異なる長さ、異なる環境条件で配置される構造である場合に、また、等長かつ同一の環境条件であっても振幅及び位相のずれが残存する場合に、この差異に伴う参照信号の振幅、位相のずれを補正する、オフセット量設定補正部が、前記受信側振幅・位相制御手段に設けられた構成を有している。
【００１２】
また、前記ＣＤＭＡ移動通信基地局における、参照信号供給手段が、複数の個別送受信部に対し供給する、ベースバンド帯の参照信号に代えて、その１つの参照信号発生部に供給されるクロック信号及び初期化信号をこれら複数の個別送受信部に供給するようにし、これら複数の個別の送受信部に、前記クロック信号及び初期化信号に基づいてベースバンド帯の参照信号を発生する、個別の参照信号発生器を設けて、この個別参照信号発生器から、受信側振幅・位相制御手段及び参照信号除去器へのベースバンド帯の参照信号を供給するようにした構成を有している。
【００１３】
【発明の実施の形態】
本発明の第１の実施の形態は、複数のアンテナ素子から成るアレイ・アンテナを用いて、複数の移動局に対するアンテナ指向性を形成し、これら複数の移動局と通信を行う、多元接続可能なＣＤＭＡ移動通信基地局装置であって、上記複数のアンテナ素子と対応接続する複数の個別送受信部と、これら複数の個別送受信部に無線周波帯の参照信号及びベースバンド帯の参照信号を供給する参照信号供給手段と、を有して成り、上記複数の個別送受信部それぞれが、上記アレイ・アンテナの、対応するアンテナ素子からの無線周波帯の受信信号を増幅してベースバンド帯の受信情報信号に変換し出力する受信機と、上記参照信号供給手段から供給された無線周波帯の参照信号を、予め定められたレベルに設定、制御して上記アンテナ素子からの無線周波帯受信信号伝送路へ導入する参照信号導入部と、上記受信機の出力信号中に含まれるベースバンド帯の参照信号と、上記参照信号供給手段から供給されたベースバンド帯の参照信号と、の間の振幅及び位相の差を検出して上記受信機の出力信号に対する振幅及び位相を制御し出力する受信側振幅・位相制御部と、この受信側振幅・位相制御部の出力信号中に含まれる参照信号成分を、上記参照信号供給手段から供給されたベースバンド帯の参照信号により除去する参照信号除去器と、を含んで構成され、上記参照信号供給手段が、クロック信号及び初期化信号に基づいて、ベースバンド帯の参照信号を発生する、１つの参照信号発生部と、この１つの参照信号発生部からのベースバンド帯の参照信号を、上記アンテナ素子からの無線周波帯の受信信号と同一の周波帯の参照信号に変換して、上記複数の個別送受信部へ分配、供給する、参照信号分配部と、を含んで構成される。
【００１４】
このような構成とすることにより、複数の個別送受信部に対し、参照信号周波数変換用の高いレベルの受信無線周波帯の信号を引き回さなくても良いので、この信号による各部動作に対する悪影響を無くすことができ、しかも、参照信号導入部への無線周波帯の参照信号のレベルも小さくすることができて、その可変減衰器の減衰量も小さくすることができるので、その導入レベルの誤差を小さくすることができ、キャリブレーション精度を上げることができる。
【００１５】
本発明の第２の実施の形態は、上記のＣＤＭＡ移動通信基地局における、参照信号供給手段が、複数の個別送受信部に対し供給する、ベースバンド帯の参照信号に代えて、その１つの参照信号発生部に供給されるクロック信号及び初期化信号をこれら複数の個別送受信部に供給するようにし、これら複数の個別の送受信部に、上記クロック信号及び初期化信号に基づいてベースバンド帯の参照信号を発生する、個別の参照信号発生器を設けて、この個別の参照信号発生器から、受信側振幅・位相制御手段及び参照信号除去器へのベースバンド帯の参照信号を供給するようにした構成を有している。
【００１６】
第１の実施の形態のように、１つの参照信号発生部で、参照信号分配部及び複数の個別送受信部へのベースバンド帯の参照信号を発生しようとすると、この１つの参照信号発生部の出力電力を大きくする必要があり、その分、この１つの参照信号発生部の構成、及び出力電力の制御がやや難しくなるが、各個別送受信部に、その形成かつ容易な、個別の参照信号発生器を設けることにより、１つの参照信号発生部の出力電力を小さくすることができて、その構成及び出力電力の制御が容易となる。
その他の作用効果は第１の実施の形態と同様である。
【００１７】
【実施例】
次に本発明の実施例について図面を参照して説明する。
図１は本発明の第１の実施例のＣＤＭＡ移動通信基地局装置全体を示すブロック図、図２はその個別送受信部のブロック図、図３は個別送受信部の受信系回路部分を抽出したブロック図である。
この第１の実施例が図８〜図１０に示された従来のＣＤＭＡ移動通信基地局装置と相違する点は、第１に、この従来例では、複数の個別送受信部２０ｘへの参照信号の供給が、ベースバンド帯の参照信号ｒｅｆ（ＢＢ）のみとなっているのに対し、この第１の実施例では、複数の個別送受信部２０への参照信号の供給が、無線周波帯の参照信号ｒｅｆ（ＲＦ）とベースバンド帯の参照信号ｒｅｆ（ＢＢ）との両者となっており、第２に、このような構成とするために、従来例では、参照信号発生器（図示省略）で発生したベースバンド帯の参照信号ｒｅｆ（ＢＢ）を、そのまま各個別送受信部２０ｘへ供給しているのに対し、この第１の実施例では、１つの参照信号発生器５０で発生したベースバンド帯の参照信号ｒｅｆ（ＢＢ）を各個別送受信部２０へ供給する一方、これと同時に、このベースバンド帯の参照信号ｒｅｆ（ＢＢ）を無線周波帯に変換して（周波数変換器６１により）、この無線周波帯の参照信号ｒｅｆ（ＲＦ）を、各個別送受信部２０へ分配（分配器６２により）供給する、参照信号分配部６０が設けられており、第３に、従来の個別送受信部２０ｘでは、その参照信号導入部２５ｘにおいて、ベースバンド帯の参照信号ｒｅｆ（ＢＢ）を周波数変換器２５４により無線周波帯（ｆｒ）の参照信号に変換してから可変減衰器２５２ｘでレベル設定し、受信系回路に導入しているのに対し、この第１の実施例の個別送受信部２０では、その参照信号導入部２５において、供給された無線周波帯の参照信号ｒｅｆ（ＲＦ）を、そのまま可変減衰器２５２でレベル設定し、受信系回路に導入している、という点にある。なお、１つの参照信号発生器５０と、参照信号分配部６０とにより、参照信号供給手段（図示省略）を形成する。
【００１８】
このような構成とすることにより、従来例では、周波数変換器２５４の種類によっては、比較的高いレベルの無線周波帯（ｆｒ）の信号を各個別送受信部２０ｘに引き回すことになり、これが各部動作に悪影響を及ぼす危険性があるが、この第１の実施例では、周波数変換の必要がなく、しかも参照信号導入レベルは受信信号レベルに対し−２０ｄＢ程度で良いので、各個別送受信部２０に供給される無線周波帯の参照信号ｒｅｆ（ＲＦ）のレベルを、従来例の場合に比べて大幅に小さくすることができ、各部動作への悪影響を無くすことができる。
【００１９】
また、従来例では、周波数変換器２５４の出力信号のレベルも高く、この信号を受信信号レベルに対し−２０ｄＢ程度に減衰させるには、可変減衰器２５２ｘの減衰量も大きくなって、この減衰量の誤差による、受信系回路への参照信号の導入レベルの誤差も大きくなり、キャリブレーションの精度が低下するが、この第１の実施例では、可変減衰器２５２への入力信号レベルが小さいので、この可変減衰器２５２の減衰量を、従来例に比べて大幅に小さくすることができて、受信系回路への参照信号の導入レベルの誤差を小さくすることができキャリブレーション精度を上げることができる。
【００２０】
なお、この第１の実施例において、参照信号分配部６０から各個別送受信部２０への無線周波帯の参照信号ｒｅｆ（ＲＦ）供給用の配線は、等長かつ同一環境条件となるように配置し、配線長の差や、配線に対する熱伸縮等の外部変動の差を少なくし、各個別送受信部２０に供給される無線周波帯の参照信号ｒｅｆ（ＲＦ）の振幅及び位相を均一化するのが望ましい。
【００２１】
図４は本発明の第２の実施例の、ＣＤＭＡ移動通信基地局装置全体のブロック図、図５はその個別送受信部の受信系回路部分を抽出したブロック図である。
前述の第１の実施例では、個別送受信部２０に対し、１つの参照信号発生器５０から直接、ベースバンド帯の参照信号ｒｅｆ（ＢＢ）を供給していたが、この第２の実施例では、各個別送受信部２０ａに対し、１つの参照信号発生器５０ａにおけるベースバンド帯の参照信号ｒｅｆ（ＢＢ）発生の基となるクロック信号ＣＬＫ及び初期化信号ＩＮＳを供給し、これら各個別送受信部２０ａに、このクロック信号ＣＬＫ及び初期化信号ＩＮＳに基づいてベースバンド帯の参照信号ｒｅｆ（ＢＢ）を発生する、個別の参照信号発生器５１を設けた構成となっている。
【００２２】
第１の実施例のように、１つの参照信号発生器５０により、参照信号分配部６０及び複数の個別送受信部２０へのベースバンド帯の参照信号ｒｅｆ（ＢＢ）を発生しようとすると、その出力電力が大きくなって、この参照信号発生器５０の構成や出力電力の制御が難しくなりがちとなるが、この第２の実施例のように、１つの参照信号発生器５０ａは参照信号分配器６０のみへのベースバンド帯の参照信号ｒｅｆ（ＢＢ）を発生するようにし、各個別送受信部２０ａに個別の参照信号発生器５１を設けることにより、１つの参照信号発生器５０ａの出力電力を小さくすることができて、その構成、及び出力電力の制御を容易にすることができ、また個別の参照信号発生器５１も、その形成は簡単である。
その他の構成、及び作用効果等については、第１の実施例と同様である。
【００２３】
図６は本発明の第３の実施例を示す、個別送受信部の受信系回路部分のブロック図である。
前述の第１，第２の実施例において、参照信号分配部６０から各個別送受信部２０，２０ａへの無線周波帯の参照信号ｒｅｆ（ＲＦ）の配線は、等長かつ同一環境条件となるように配置するのが望ましいが、構造上等の理由により、そのように配置できない場合がある。このような場合には、その配置に伴って発生する振幅及び位相の差を補正するように、誤差検出・保持部２９ｒ及び受信側振幅・位相制御器２７から成る受信側振幅・位相制御手段に、オフセット量設定補正器７１を誤差検出・保持器２９ｒに対して設けると良い。
また、図７に示すように、受信側振幅・位相制御器２７に対し、オフセット量設定制御器７２を設けた構成とすることができる。
【００２４】
【発明の効果】
以上説明したように本発明は、１つの参照信号発生部からのベースバンド帯の参照信号を、無線周波帯の参照信号に変換して複数の個別送受信部に分配、供給する参照信号供給手段を設け、各個別送受信部では、その参照信号導入部において、参照信号供給手段からの無線周波帯の参照信号を、そのままレベル設定、制御して受信系回路へ導入する構成とし、かつ、受信側振幅・位相制御手段における、振幅、位相の基準となるベースバンド帯の参照信号は、１つの参照信号発生器から供給するか、各個別送受信部に、ベースバンド帯の参照信号発生用の個別の参照信号発生器を設けてこの個別の参照信号発生器から供給する、構成とすることにより、各個別送受信部の参照信号導入部から、高いレベルの信号が必要な周波数変換器が無くなり、高いレベルの受信無線周波帯の信号を引き回わさなくて済むので、その各部動作に対する悪影響を無くすことができ、また、参照信号導入部での参照信号に対する減衰量も小さくて済むので、この減衰量に伴う参照信号の導入レベルの誤差を小さくすることができて、キャリブレーション精度を上げることができる、という効果がある。
【図面の簡単な説明】
【図１】本発明の第１の実施例を示すＣＤＭＡ移動通信基地局装置全体のブロック図である。
【図２】図１に示された第１の実施例における各個別送受信部のブロック図である。
【図３】図２に示された個別送受信部の受信系回路部分を抽出したブロック図である。
【図４】本発明の第２の実施例を示すＣＤＭＡ移動通信基地局装置全体のブロック図である。
【図５】図４に示された第２の実施例における各個別送受信部の受信系回路部分を抽出したブロック図である。
【図６】本発明の第３の実施例における各個別送受信部の受信系回路部分を抽出したブロック図である。
【図７】図６に示された第３の実施例に対する変形例を示すブロック図である。
【図８】従来のＣＤＭＡ移動通信基地局装置の一例を示す装置全体のブロック図である。
【図９】図８に示された従来例の各個別送受信部のブロック図である。
【図１０】図９に示された個別送受信部の受信系回路部分を抽出したブロック図である。
【符号の説明】
１０  アレイ・アンテナ
１１  アンテナ素子
２０，２０ａ，２０ｂ，２０ｃ，２０ｘ  個別送受信部
２１  送信側振幅・位相制御器
２２  送信機
２３  送受信共用器
２４  送信参照信号導出部
２５，２５ｘ  参照信号導入部
２６  受信機
２７  受信側振幅・位相制御器
２８  参照信号除去器
２９ｒ，２９ｔ  誤差検出・保持器
３０  アンテナ指向性制御部
３１  指向性制御素子
４０  局部発振器
５０  参照信号発生器
５０ａ  参照信号発生器
５１  参照信号発生器
６０  参照信号分配部
６１  周波数・変換器
６２  分配器
７１  オフセット量設定制御器
７２  オフセット量設定制御器
２４１  周波数変換器
２４２  可変減衰器
２４３  方向性結合器
２５１  加算器
２５２  可変減衰器
２５３  方向性結合器
２５４  周波数変換器
２８１  加算器
【図１】
0003813537.tif 000002
【図２】
0003813537.tif 000003
【図３】
0003813537.tif 000004
【図４】
0003813537.tif 000005
【図５】
0003813537.tif 000006
【図６】
0003813537.tif 000007
【図７】
0003813537.tif 000008
【図８】
0003813537.tif 000009
【図９】
0003813537.tif 000010
【図１０】
0003813537.tif 000011